(57)【要約】【課題】  非選針状態では編針を針溝内に確実に保持可能な横編機の休止編針保持機構および方法を提供する。【解決手段】  ニードルジャック７には、カム機構の作用を受ける突起としてのバット７ａが設けられる。ニードルジャック７でバット７ａよりも歯口から遠い側は、ばね部７ｂとなり、ばね部７ｂの最終端が針溝５の底面に接触し、バット７ａ付近の部分は、針溝５の底面から弾発的に浮いた状態となっている。ただし、非選針状態では、ばね部７ｂはセレクトジャック８によって押圧され、針溝５内に押し込まれている。ニードルジャック７では、バネ部７ｂの下部に突起７ｃが設けられている。突起７ｃに対応して、ニードルプレート４をワイヤ９が貫通し、ニードルジャック７がＢ位置で非選針状態となると、突起７ｃがワイヤ９によって係止され、ニードルジャック７が針溝５内で摺動変位しないように拘束される。【選択図】      図１
2007023425.tif 000002
【特許請求の範囲】
【請求項１】
編地編成領域に沿って配置される針床に多数の針溝が形成され、各針溝に該編地編成領域に進出させて編成動作を行わせる編針が収容され、編針に設ける突起が針溝から突出する選針状態と、該突起が針溝内に留まる非選針状態とを選択しながら、選針状態の編針を突起を介して編地編成領域に進出させ、編成動作を行わせる横編機で、非選針状態の編針を針溝内に保持して休止させる横編機の休止編針保持機構であって、
各針溝内に設けられ、非選針状態の編針を係止して、該編地編成領域へ進出する変位を拘束し、選針状態の編針の変位は許容する係止手段を含むことを特徴とする横編機の休止編針保持機構。
【請求項２】
前記係止手段は、前記針溝と前記編針との間で係止を行うことを特徴とする請求項１記載の横編機の休止編針保持機構。
【請求項３】
前記針溝は、前記針床に間隔をあけて立設されるニードルプレート間に形成され、
前記係止手段は、ニードルプレートを貫通するワイヤを前記編針に設ける当接部に当接させて前記係止を行うことを特徴とする請求項２記載の横編機の休止編針保持機構。
【請求項４】
前記係止手段は、前記選針機構と前記編針との間で係止を行うことを特徴とする請求項１記載の横編機の休止編針保持機構。
【請求項５】
前記選針機構は、各針溝内に設けられ、前記非選針状態では前記編針を押圧して針溝内に押し込み、前記選針状態では該押圧を解除する押圧部材を含み、
前記係止手段は、押圧部材と編針との間で前記係止を行うことを特徴とする請求項４記載の横編機の休止編針保持機構。
【請求項６】
編地編成領域に沿って配置される針床に多数の針溝が形成され、各針溝に該編地編成領域に進出させて編成動作を行わせる編針が収容され、編針に設ける突起が針溝から突出する選針状態と、該突起が針溝内に留まる非選針状態とを選択しながら、選針状態の編針を突起を介して編地編成領域に進出させ、編成動作を行わせる横編機で、非選針状態の編針を針溝内に保持して休止させる横編機の休止編針保持方法であって、
各針溝内で、非選針状態の編針は該編地編成領域へ進出する変位を拘束するように係止し、選針状態の編針は該編地編成領域へ進出する変位を許容するように係止を解除することを特徴とする横編機の休止編針保持方法。
【発明の詳細な説明】
【技術分野】
【０００１】
本発明は、編成動作を行わせないで休止させる編針を針溝内で保持する横編機の休止編針保持機構および方法に関する。
【背景技術】
【０００２】
従来から、横編機では、針床の長手方向に沿って配置されている編針を、キャリッジなどで選択的に駆動して編地を編成している。各編針は、針床に、その長手方向に垂直な方向への摺動変位を許容するように形成される針溝に収容される。編地の編成は、編針を針溝内で選択的に摺動変位させ、編針の先端のフック等を針溝から編地編成領域に進退させて行わせている。編針の進退による編地編成動作には、ニット、タックおよびミスが含まれる。前後の針床が歯口を挟んで対向し、歯口を編地編成領域とする横編機では、編針の編成動作に、針床間の目移しも含まれる。前後に針床を有する横編機では、前後の針床の編針を使用して表目と裏目とを含む編地やリブ編地を編成したり、前後の針床でそれぞれ編地を編成して編幅の端部で連結するような周回編成で筒状の編地を編成したりすることができる。
【０００３】
編針には針溝から突出するバットが設けられ、キャリッジに搭載されるカム機構をバットに作用させて編成動作を行わせている。カム機構には、たとえばニットまたは目移しの編成動作を切換えてバットを案内するための軌跡に対応するカム溝が形成される。カム機構には、タックではニットのカム溝の一部を使用しないように、ミスでは全部のカム溝を使用しないように、バットを針溝内に押し込むプレッサーも併設される。このようなカム機構はキャリッジの移動に応じて編針を駆動するけれども、１つの編針に編成動作を行わせるために必要な移動ストローク範囲内には複数の編針が存在するので、カム機構のみでは隣接する編針に異なる編成動作を行わせることはできない。キャリッジには、隣接する編針でも異なる編成動作を行わせることを可能にするために、編針を個別に選択可能な選針機構も搭載される。
【０００４】
本件出願人は、キャリッジに搭載する選針機構として、２位置選択型のもの（たとえば、特許文献１参照。）と、３位置選択型のもの（たとえば、特許文献２参照。）とを、開示している。
【０００５】
特許文献１の段落［００１４］には、「針溝４内には針６，ニードルジャック７，セレクター８，セレクトジャック９が摺動自在に挿入されている。また、位置を固定した状態でセレクトジャック９の位置決め用のスプリング１０が挿入されている。ニードルジャック７は頭部を針６に係合し中央にニードルジャックバット１１を有し、その背面にセレクトジャック９の頭部１２を当接し、該頭部１２を針溝４外に突出する方向の弾性を持たせてある。」と記載されている。すなわち、針と二ードルジャックとが編針となってニードルジャックバットがカム機構の作用を受け、セレクターとセレクトジャックとに選針機構が作用する。図１についての図面の簡単な説明には、「アクチェータを含むキャリッジの一部とニードルベッドの縦断面図で、Ａは選針動作開始前及び終了後のニット位置にあるセレクトジャック等の状態を示し、Ｂは選針の第１過程終了時のウエルト位置の状態」と記載され、Ａ位置での選針状態とＢ位置での非選針状態とが示されている。段落［００２７］には、「セレクター８の頭部２６がワイヤー２２の下位にあり頭部２６の上昇がワイヤー２２で押さえられているため、キャリッジ４０の進行につれセレクトジャックプレッサー５４によるセレクトジャックバット１６の押圧がなくなったときでも継続し、セレクトジャックバット１６はＢ位置において針溝外４に突出するのを阻止されている。」と記載されている。このように、Ｂ位置ではセレクトジャックが針溝内に押し込まれている。
【０００６】
特許文献２の図１には、Ａ，Ｈ，Ｂの３位置が示されている。段落［００３８］には、「先行の選針部７９ａにおいて、ニット、タック、ミスの針のセレクトジャック２８がＨ，Ａ，Ｂの各ポジションにそれぞれ選択される。」と記載されている。図２についての図面の簡単な説明には、「図２−ａはプレッサーの押圧作用を受けず針のバットが針溝から突出した状態を示し、図２−ｂはプレッサーにより針のバットが押圧された状態を示す。」と記載され、図２−ｂがＢ位置に対応していることが判る。
【０００７】
【特許文献１】特開平６−２００４５４号公報
【特許文献２】特許第３２９２８３６号公報
【発明の開示】
【発明が解決しようとする課題】
【０００８】
特許文献１や特許文献２に示すような非選針状態のＢ位置は、編針のバットがカム機構の作用を受けないように、バットは針溝内に押し込まれる。Ｂ位置の編針は、カム機構による駆動を受けないので、針溝内に、摺動抵抗によって保持されるので、他の編針が編成動作を行う間に編目を保持して編成を休止することができる。
【０００９】
しかしながら、Ｂ位置の編針は、摺動抵抗によって保持されているだけである。編地が歯口で編成され、編針が編目のループを保持していると、編針には歯口に引き上げる力が作用する。筒状編地の編端部や、リブ編部などでは、編糸が前後の針床間に渡るので、編目を係止している編針には、歯口に進出するように作用する大きな力を編糸から受ける。この力が針溝内の摺動抵抗による力よりも大きくなると、休止している編針が歯口方向に引き上げられてしまう。歯口付近は、キャリッジに連動して、生地押えや給糸口、端糸処理装置の先端部が通過する。キャリッジに搭載されるカム機構の作用で歯口に進出する編針であれば、歯口を通過する生地押え等の部材とは干渉しないように進出タイミングが調整される。しかし、休止状態の編針が編糸に引かれて歯口に進出すると、歯口を通過する部材と干渉して事故につながるおそれがある。
【００１０】
休止する編針を針溝内で保持することを確実にするためには、たとえば選針状態にして針溝から編針のバットを突出させ、カム機構でミスにすることも考えられる。しかしながら、プレッサでバットを押圧して編針を針溝内に押し込むだけでは、強く引かれると編針が歯口に進出してしまうおそれが解消されない。
【００１１】
本発明の目的は、非選針状態では編針を針溝内に確実に保持可能な横編機の休止編針保持機構および方法を提供することである。
【課題を解決するための手段】
【００１２】
本発明は、編地編成領域に沿って配置される針床に多数の針溝が形成され、各針溝に該編地編成領域に進出させて編成動作を行わせる編針が収容され、編針に設ける突起が針溝から突出する選針状態と、該突起が針溝内に留まる非選針状態とを選択しながら、選針状態の編針を突起を介して編地編成領域に進出させ、編成動作を行わせる横編機で、非選針状態の編針を針溝内に保持して休止させる横編機の休止編針保持機構であって、
各針溝内に設けられ、非選針状態の編針を係止して、該編地編成領域へ進出する変位を拘束し、選針状態の編針の変位は許容する係止手段を含むことを特徴とする横編機の休止編針保持機構である。
【００１３】
また本発明で、前記係止手段は、前記針溝と前記編針との間で係止を行うことを特徴とする。
【００１４】
また本発明で、前記針溝は、前記針床に間隔をあけて立設されるニードルプレート間に形成され、
前記係止手段は、ニードルプレートを貫通するワイヤを前記編針に設ける当接部に当接させて前記係止を行うことを特徴とする。
【００１５】
また本発明で、前記係止手段は、前記選針機構と前記編針との間で係止を行うことを特徴とする。
【００１６】
また本発明で、前記選針機構は、各針溝内に設けられ、前記非選針状態では前記編針を押圧して針溝内に押し込み、前記選針状態では該押圧を解除する押圧部材を含み、
前記係止手段は、押圧部材と編針との間で前記係止を行うことを特徴とする。
【００１７】
さらに本発明は、編地編成領域に沿って配置される針床に多数の針溝が形成され、各針溝に該編地編成領域に進出させて編成動作を行わせる編針が収容され、編針に設ける突起が針溝から突出する選針状態と、該突起が針溝内に留まる非選針状態とを選択しながら、選針状態の編針を突起を介して編地編成領域に進出させ、編成動作を行わせる横編機で、非選針状態の編針を針溝内に保持して休止させる横編機の休止編針保持方法であって、
各針溝内で、非選針状態の編針は該編地編成領域へ進出する変位を拘束するように係止し、選針状態の編針は該編地編成領域へ進出する変位を許容するように係止を解除することを特徴とする横編機の休止編針保持方法である。
【発明の効果】
【００１８】
本発明によれば、横編機は、編地編成領域に沿って配置される針床に形成される針溝に編針を収容して編成動作を行わせる。編成動作は、編針に設ける突起が針溝から突出する選針状態の編針で行う。突起が針溝内に留まる非選針状態の編針は休止させる。各針溝内には、非選針状態の編針を係止して、編地編成領域へ進出する変位を拘束し、選針状態の編針の変位は許容する係止手段を設けるので、非選針状態の編針を係止して確実に保持することができる。
【００１９】
また本発明によれば、非選針状態の編針を針溝内に留めると、編針と針溝との間で編針が係止されるので、非選針状態の編針を針溝内に確実に留めておくことができる。
【００２０】
また本発明によれば、編針に設ける当接部を、ニードルプレートを貫通するワイヤで係止するので、簡単な構成で確実に休止している編針を拘束することができる。
【００２１】
また本発明によれば、非選針状態の編針を針溝内に留めると、編針と選針機構との間で編針が係止されるので、非選針状態の編針を針溝内に確実に留めておくことができる。
【００２２】
また本発明によれば、非選針状態の編針を針溝内に押圧する押圧部材で編針を係止するので、簡単な構成で確実に休止している編針を拘束することができる。
【００２３】
さらに本発明によれば、横編機の編成動作で、非選針状態の編針が編地編成領域へ進出する変位を拘束し、非選針状態の編針を係止して確実に保持することができる。
【発明を実施するための最良の形態】
【００２４】
図１および図２は、本発明の実施の一形態として、横編機１の休止編針保持機構２の概略的な構成を示す。横編機１では、針床３にニードルプレート４が間隔を空けて立設され、ニードルプレート４間に針溝５が形成される。針溝５内には、編針６が収容される。編針６は、図の右方の歯口に対して進退する摺動変位を行って、編針６の先端が歯口内で編地の編成を行う。編針６は、歯口から遠い側を、ニードルジャック７として、歯口側の部分とは別体に形成している。一体的に形成してもよいことはもちろんである。
【００２５】
編針６は、図１では非選針状態、図２では選針状態となっている。ニードルジャック７には、カム機構の作用を受ける突起としてのバット７ａが設けられる。ニードルジャック７でバット７ａよりも歯口から遠い側は、ばね部７ｂとなり、ばね部７ｂの最終端が針溝５の底面に接触し、バット７ａ付近の部分は、針溝５の底面から弾発的に浮いた状態となっている。ただし、図１の非選針状態では、ばね部７ｂはセレクトジャック８によって押圧され、針溝５内に押し込まれている。ニードルジャック７では、バネ部７ｂの下部に突起７ｃが設けられている。突起７ｃに対応して、ニードルプレート４をワイヤ９が貫通し、ニードルジャック７がＢ位置で非選針状態となると、突起７ｃがワイヤ９によって係止され、ニードルジャック７が針溝５内で摺動変位しないように拘束される。
【００２６】
ニードルジャック７をＢ位置で非選針状態にする選針機構１０は、セレクトジャック８を歯口側に最も進出させるＡ位置と、Ａ位置とＢ位置との中間のＨ位置に、選択的に編針６を移動させることができる。セレクトジャック８の歯口側の先端は、上方にバット８ａが突出し、バット８ａの下部の押圧部８ｂでニードルジャック７のばね部７ｂを上方から押圧する。選針機構１０には、セレクトジャック８とともに、セレクタ１１、セレクタ浮上カム１２およびセレクタ上げカム１３を含み、さらに図示を省略している選針アクチュエータを含む。セレクタ１１には、たとえば４つの選針用バット１１ａ，１１ｂ，１１ｃ，１１ｄのいずれかと、共通の押上用バット１１ｅおよびガイド用バット１１ｆとが設けられる。選針用バット１１ａ，１１ｂ，１１ｃ，１１ｄは、４本の隣接する編針６でそれぞれ異なるように設けられ、選針アクチュエータで個別に選択して、図１の非選針状態と図２の選針状態とを編針６毎に切換えることができる。セレクタ上げカム１３は、セレクタ１１の押上用バット１１ｅに作用して、セレクタ１１をＢ位置からＨ位置またはＡ位置に変位させ、歯口側に押上げることができる。セレクタ１１のガイド用バット１１ｆには、セレクタガイドカム１４が作用する。セレクタ１１の歯口側の先端は、セレクタジャック８のバット８ａの背後に当接し、図２に示すように、セレクタジャック８をＨ位置またはＡ位置に押し上げることができる。
【００２７】
図２では、ニードルジャック７は、ばね部７ｂが針溝５の底部から浮いた状態であり、バット７ａは針溝５から上方に突出する。バット７ａが突出する部分には、カム機構１５が設けられ、バット７ａをカム溝に沿って案内し、編針６が歯口に対して進退するような摺動変位を針溝５内で行わせることができる。セレクトジャック８のバット８ａのＨ位置およびＡ位置の上方には、プレッサ１６が配置される。プレッサ１６がバット８ａを押圧すると、セレクトジャック８が針溝５内に沈み、押圧部８ｂでニードルジャック７のばね部７ｂを押圧して、バット７ａを針溝５内に押し込み、バット７ａに対するカム機構１５の作用を一時的に解除させる。これによって、ニット、タックおよびミスなどの切換えを行うことができる。
【００２８】
図３は、図１および図２に示すニードルジャック７の全体形状を示す。図１および図２の図示範囲外となっている歯口側には、編針６のニードル本体との連結部７ｄが形成される。バット７ａは、連結部７ｄとばね部７ｂとのほぼ中間に形成される。この部分は、ニードルジャック８の押圧部８ｂによる押圧の有無で、針溝からの出没が最も大きくなる部分である。なお、編針６としては、ニードル本体とともに、スライダを歯口に対して進退させる複合針を使用する。このため、ニードルジャック７には、歯口に進出する摺動変位を行う際に、スライダを押して連動させる連動部７ｅも設けられる。
【００２９】
図４は、（ａ）で、図１に示すワイヤ９でニードルジャック７の突起７ｃを係止している状態を拡大して示す。図１および図２に示すように、ニードルプレート４には複数のワイヤが貫通して、種々の機能を果たしているけれども、突起７ｃを係止するワイヤ９は、可能な限り小径とすることが好ましい。小径でも、ワイヤ９の材料はピアノ線など、高強度であり、ニードルジャック７を係止するために必要な強度は充分に有している。ワイヤ９を小径にすることによって、突起７ｃが小さくても鉛直面と当接させることができる。小径のワイヤ９を貫通させるためにニードルプレート４に形成する貫通孔４ａは、ワイヤ９の径よりも大きくして、ワイヤ９の径に対応する上部のみが針溝５の底部よりも上方となるように、ニードルプレート４を針床３に装着すればよい。
【００３０】
図４の（ｂ）は、ワイヤ９の径が小径である必要性について示す。仮想線で示すように、突起７ｃの高さに比較して径が大きいワイヤであれば、突起７ｃの先端の曲線部分が当接し、当接部分の接線方向が傾斜するので、当接面に垂直な反力が突起７ｃを斜め上方押し上げるように作用し、係止状態が外れやすくなってしまう。
【００３１】
図５は、編針６が図２の選針状態となっている針床３の全体構成を示す。横編機１は、前後の針床３が歯口２０を挟んで対峙し、歯口２０に編針６のニードル本体２１およびスライダ２２が進出して編地を編成する。このような編地編成領域となる歯口２０に対して、各針床３は傾斜するように配置される。歯口２０の中心となる鉛直線２０ａに対し、両側の針床３は、大略的に逆Ｖ字状に配置されるので、横編機１はＶベッド横編機とも呼ばれる。ただし、説明の便宜上、一方の針床３が水平な状態で図示する。カム機構１５は、ニードルジャック７のバット７ａとスライダ２２のバット２２ａとに作用して、歯口２０に対する進退による編成動作を行わせる。
【００３２】
図６は、キャリッジに設ける選針機構１０およびカム機構１５などの構成を示す。キャリッジは、図５に示すような針床３に対し、図５の紙面に垂直となる針床３の長手方向に走行して、編針６を選択的に駆動する。選針機構１０に含まれる選針アクチュエータ３０は、４本の隣接する編針６を、セレクタ１１の選針用バット１１ａ，１１ｂ，１１ｃ，１１ｄによって選択する。選針アクチュエータ３０が選針用バット１１ａ，１１ｂ，１１ｃ，１１ｄを押圧すると、図１に示すような非選針状態となり、押圧しなければ、図２に示すような選針状態となる。選針状態では、ニードルジャック７およびスライダ２２のバット７ａ，２２ａに、カム機構１５に含まれるニードル本体用カム３１およびスライダ用カム３２がそれぞれ作用する。カム機構１５には、プレッサ１６も含まれ、セレクトジャック８のバット８ａを、Ｂ位置、Ｈ位置およびＡ位置でそれぞれ異なるように押圧する。
【００３３】
以上のように、針溝５は、針床３に間隔をあけて立設されるニードルプレート４間に形成される。針溝５内で係止手段としてのニードルジャック７の突起７ｃとワイヤ９とは、ニードルプレート４を貫通するワイヤ９を編針６に設ける当接部としての突起７ｃに当接させて非選針状態での係止を行う。編針６に設ける当接部を、ニードルプレート４を貫通するワイヤ９で係止するので、簡単な構成で確実に休止している編針６を拘束することができる。
【００３４】
図７は、本発明の実施の他の形態としての休止編針保持機構４０の部分的な構成を示す。説明の便宜上、図１〜図６の実施の形態に対応する部分には同一の参照符を付して示し、重複する説明を省略する。また、説明を省略している部分は、同一の構成である。係止手段としては、ニードルジャック７のバット７ａの下側に凹所７ｆを設け、ニードルプレート４を貫通するワイヤ９を嵌合させる。また、針溝５の底面に凹所を設けて、図３に示すようなニードルジャック７の突起７ｃを嵌合させて、ニードルジャック７を係止することもできる。
【００３５】
以上のように、係止手段は、針溝５と編針６との間で係止を行うことによって、非選針状態の編針６を針溝５内に留めると、編針６と針溝５との間で編針６の摺動変位を拘束し、非選針状態の編針６を針溝５内に確実に留めておくことができる。
【００３６】
図８および図９は、本発明の実施のさらに他の形態としての休止編針保持機構５０の構成を示す。説明の便宜上、図１〜図６の実施の形態に対応する部分には同一の参照符を付して示し、重複する説明を省略する。また、説明を省略している部分は、同一の構成である。図８は編針６の非選針状態、図９は編針６の選針状態を、それぞれ示す。本実施形態の係止手段は、ニードルジャック７に設ける突起部７ｇとセレクトジャック８に設ける突起部８ｃとによって形成する。図８に示すように、編針６が非選針状態のＢ位置では、ニードルジャック７およびセレクトジャック８の両突起部７ｇ，８ｃが係合し、編針６の摺動変位を拘束して、保持することができる。
【００３７】
図１０は、ニードルジャック７およびセレクトジャック８の形状を示す。突起部７ｇ，８ｃを設けることで係止手段を実現することができるので、突起部７ｇ，８ｃを有していないニードルジャック７およびセレクトジャック８を使用していれば、それを交換するだけで休止編針保持機構５０を容易に実現することができる。
【００３８】
すなわち、選針機構１０は、各針溝５内に設けられ、非選針状態では編針６を押圧して針溝５内に押し込み、選針状態では押圧を解除する押圧部材としてのセレクトジャック８を含み、係止手段は、セレクトジャック８と編針６の一部としてのニードルジャック７との間で係止を行う。非選針状態の編針６を針溝５内に押圧するセレクトジャック８で編針６を係止するので、簡単な構成で確実に休止している編針６を拘束することができる。このように、非選針状態の編針６を選針機構１０で係止して拘束しても、非選針状態の編針６を針溝５内に確実に留めておくことができる。
【００３９】
以上で説明した実施の各形態のように、非選針状態の編針６を針溝５内に保持して休止させるために、各針溝５内に係止手段を設けることで、従来のような、押圧と摺動抵抗とによって、休止している編針６が針溝５内で摺動変位するのを防止するのに比べて、確実に編針６の位置を保持することができる。
【００４０】
なお、編針６としては複合針を使用しているけれども、べら針でもよいことはもちろんである。
【図面の簡単な説明】
【００４１】
【図１】本発明の実施の一形態として、横編機１の休止編針保持機構２で編針６が非選針状態となる場合の概略的な構成を示す部分的な断面図である。
【図２】本発明の実施の一形態として、横編機１の休止編針保持機構２で編針６が選針状態となる場合の概略的な構成を示す部分的な断面図である。
【図３】図１および図２に示すニードルジャック７の全体形状を示す図である。
【図４】図１に示すワイヤ９でニードルジャック７の突起７ｃを係止している状態を拡大して示す図である。
【図５】編針６が図２の選針状態となっている針床３の全体構成を示す断面図である。
【図６】キャリッジに設ける選針機構１０およびカム機構１５などの構成を示す。
【図７】本発明の実施の他の形態としての休止編針保持機構４０の部分的な構成を示す断面図である。
【図８】本発明の実施のさらに他の形態としての休止編針保持機構５０で編針６が非選針状態となる場合の構成を示す部分的な断面図である。
【図９】本発明の実施のさらに他の形態としての休止編針保持機構５０で編針６が選針状態となる場合の構成を示す部分的な断面図である。
【図１０】図８および図９のニードルジャック７およびセレクトジャック８の形状を示す図である。
【符号の説明】
【００４２】
１  横編機
２，４０，５０  休止編針保持機構
３  針床
４  ニードルプレート
５  針溝
６  編針
７  ニードルジャック
７ａ，８ａ，２２ａ  バット
７ｃ  突起
７ｇ，８ｃ  突起部
８  セレクトジャック
９  ワイヤ
１０  選針機構
１５  カム機構
２０  歯口
２１  ニードル本体
２２  スライダ
【図１】
2007023425.tif 000003
【図２】
2007023425.tif 000004
【図３】
2007023425.tif 000005
【図４】
2007023425.tif 000006
【図５】
2007023425.tif 000007
【図６】
2007023425.tif 000008
【図７】
2007023425.tif 000009
【図８】
2007023425.tif 000010
【図９】
2007023425.tif 000011
【図１０】
2007023425.tif 000012